(57)【要約】【課題】テープのような固定部材を使用する必要があり、また、梱包ケースを被梱包物に対して無駄に大きくする必要がある。【解決手段】本発明の梱包ケース（２）によれば、幅Ｗの隙間に固定される、高さＨを有する箱体であって、上面或いは下面とで形成される稜の少なくとも一つに、その延在方向に間隔をおいて一対の第一の切込み（４）を形成する。上面或いは下面における第一の切込み間に厚さＤを有する突出部（８）を設け、側面における第一の切込み間に開口部（６）を設ける。高さＨをＷ−Ｄ＜Ｈ＜Ｗにせしめる。第一の切込み間を没入状態と復帰状態とに選択的に位置付けるように構成する。【選択図】        図１
2004345678.tif 000002
【特許請求の範囲】
【請求項１】
幅Ｗの隙間に固定される、高さＨを有する箱体であって、上面或いは下面と側面とで形成される稜の少なくとも一つに、その延在方向に間隔をおいて一対の第一の切込みを形成し、該上面或いは該下面における該第一の切込み間に厚さＤを有する突出部を設け、該側面における該第一の切込み間に開口部を設け、該高さＨをＷ−Ｄ＜Ｈ＜Ｗにせしめ、該第一の切込み間を没入状態と復帰状態とに選択的に位置付けるように構成した、
ことを特徴とする梱包ケース。
【請求項２】
該側面における該第一の切込み間に、該延在方向に間隔をおいて該稜から延びる一対の第二の切込みと、該第二の切込みの先端間を連結する連結切込みとを設け、該上面或いは該下面における該第一の切込み間にはスリットを設け、該第二の切込み間を該稜から折り曲げることによって該開口部が形成され、該第二の切込み間の先端部を山折りにして該スリットに差し込むことによって該突出部が形成されている、請求項１記載の梱包ケース。
【発明の詳細な説明】
【０００１】
【発明が属する技術分野】
本発明は副製品を包装する梱包ケースに関する。
【０００２】
【従来の技術】
従来から、梱包ケースを高さ制限のある箇所に固定する際においては、梱包ケースの高さを固定される箇所の高さより幾分低く形成して、梱包ケースを固定する箇所に挿入してテープで固定、或いは梱包ケースの高さを固定される箇所の高さより幾分高く形成して、梱包ケースを固定する箇所に圧入して固定している。
【０００３】
【発明が解決しようとする課題】
然るに、上述した梱包ケースにおいては、テープのような固定部材を使用する必要があり、また、梱包ケースを被梱包物に対して無駄に大きくする必要がある。
【０００４】
本発明は上述した事実に鑑みてなされたものであり、その主たる技術課題は、テープのような固定部材を使用することなく、梱包ケースを被梱包物に対して無駄に大きくする必要のない梱包ケースを提供することである。
【０００５】
【課題を解決するための手段】
本発明によれば、上記主たる技術的課題を達成するために、幅Ｗの隙間に固定される、高さＨを有する箱体であって、上面或いは下面と側面とで形成される稜の少なくとも一つに、その延在方向に間隔をおいて一対の第一の切込みを形成し、該上面或いは該下面における該第一の切込み間に厚さＤを有する突出部を設け、該側面における該第一の切込み間に開口部を設け、該高さＨをＷ−Ｄ＜Ｈ＜Ｗにせしめ、該第一の切込み間を没入状態と復帰状態とに選択的に位置付けるように構成した、
ことを特徴とする梱包ケースが提供される。
【０００６】
好ましくは、該側面における該第一の切込み間に、該延在方向に間隔をおいて該稜から延びる一対の第二の切込みと、該第二の切込みの先端間を連結する連結切込みとを設け、該上面或いは該下面における該第一の切込み間にはスリットを設け、該第二の切込み間を該稜から折り曲げることによって該開口部が形成され、該第二の切込み間の先端部を山折りにして該スリットに差し込むことによって該突出部が形成されている。
【０００７】
【発明の実施の形態】
以下、本発明に従って構成された梱包ケースの好適実施形態を図示している添付図面を参照して、更に詳細に説明する。
【０００８】
図１及び図４には、本発明に従って構成された梱包ケースが図示されている。全体を番号２で示す梱包ケースは高さＨを有する箱体であり、その内部に被梱包物が収容されている。直方体形状でよい梱包ケース２には、上面或いは下面と側面とで形成する稜の少なくとも一つに、その延在方向に間隔をおいて一対の第一の切込み４を形成し、上面或いは下面における第一の切込み４間に厚さＤを有する突出部８を設け、側面における第一の切込み４間に開口部６を設け、高さＨをＷ−Ｄ＜Ｈ＜Ｗにせしめ、第一の切込み４間を没入状態（図１及び図２に図示する状態）と復帰状態（図３及び図４に図示する状態）とに選択的に位置付けるように構成することが重要である。図示の実施形態においては、梱包ケース２の上面と側面との稜の一つに、その延在方向、即ち長手方向に間隔をおいて一対の第一の切込み４が形成されており、側面における第一の切込み４間に、長手方向に間隔をおいて上面と側面との稜から延びる一対の第二の切込み１０と、第二の切込み１０の先端間を連結する連結切込み１１とを設け、上面における第一の切込み４間には略長手方向に延びるスリット１２を設け、第二の切込み１０間を上面と側面との稜から折り曲げることによって開口部６が形成され、第二の切込み１０間の先端部、即ちＵ字型部９を山折りにしてスリット１２に差し込むことによって突出部８が形成されている。図示の実施形態における連結切込み１１は一対の直線部７と、一対の直線部７の間に配置せしめられているＵ字型部９とから構成されている。
【０００９】
図５には、上述されたように構成された梱包ケース２の展開図が図示されている。厚紙或いは段ボールによって構成することができる梱包ケース２は、図示の実施形態においては矩形状の主部１３と、主部１３の上端から延在する略矩形状の上端片１５と、主部１３の下端から延在する略矩形状の下端片１７と、主部１３の上端部における両側端の夫々から延在する矩形状の上部両端片１９と、主部１３の下端部における両側端の夫々から延在する略矩形状の下部両端片２１とから構成されている。上端片１５における上端側には矩形状の切欠き２３が形成されており、上端片１５における下端側には一対のコの字型の第三の切込み２５が設けられている。上端片１５に形成されている切欠き２３の長手方向の幅は上述した一対の第一の切込み４の間隔と実質上同一にせしめられている。下端片１７における上端側から主部１３に渡って上述した第一の切込み４が形成されており、下端片１７における下端部には一対の第一の差込み片２７が設けられている。一対の上部両端片１９の内側の夫々にはコの字型の第四の切込み２９が設けられている。一対の下部両端片２１の外側の夫々には第二の差込み片３１が設けられている。
【００１０】
図５に図示する展開された梱包ケース２を組み立てる際には、破線３３、３５、３７、３９、４１及び４３を折り曲げて、下端片１７が上端片１５に対して外側になるように重ね合わせると共に、下部両端片２１が上部両端片１９に対して外側になるように重ね合わせ、次いで第一の差込み片２７を下端片１７に対して破線４５で折り曲げて、第一の差込み片２７の自由端部を第三の切込み２５に挿入すると共に、第二の差込み片３１を下部両端片２１に対して破線４７で折り曲げて第二の差込み片３１の自由端部を第四の切込み２９に挿入し、しかる後に第二の切込み１０間を主部１３に対して折り曲げて連結切込み１１におけるＵ字型部９で構成される部分をスリット１２に挿入する。かくして展開された梱包ケース２は組み立てられる。第二の切込み１０間を没入状態にせしめる際には、第二の切込み１０間を内方に押圧すると、第二の切込み１０間が内方に没入せしめられて図１に図示するとおりの没入状態にせしめられる。
【００１１】
図６には、本発明に従って構成された梱包ケース２が固定される幅Ｗの隙間を有する画像形成装置１００が図示されている。かかる幅Ｗの隙間に上述されたように構成された梱包ケース２が固定される際には、第一の切込み４間を没入状態（図１及び図２に図示する状態）にせしめた梱包ケース２を、その下面を下方に向けて幅Ｗの隙間に挿入せしめる。かかる際においては梱包ケース２の高さＨは隙間の幅Ｗより小さくせしめられているので梱包ケース２は隙間に容易に挿入される。しかる後においては、梱包ケース２の開口部６に指を挿入して開口部６の周辺部に指をかけて没入状態にされている第一の切込み４間を外方に強制せしめると、第一の切込み４間は復帰状態（図３及び図４に図示する状態）にせしめられる。かかる際においては梱包ケース２の高さＨは幅Ｗ−厚さＤよりも大きくせしめられているので梱包ケース２は隙間に固定せしめられる。更に、図５に図示する画像形成装置１００が輸送される際においては、梱包ケース２は画像形成装置１００における隙間の上部を補強する補強材の機能も有している。
【００１２】
本発明の梱包ケース２は上述されたように構成されているので、テープのような固定部材を使用する必要がなく、梱包ケースを被梱包物に対して無駄に大きくする必要がない。
【００１３】
【発明の効果】
本発明によれば、テープのような固定部材が必要なく、梱包ケースを被梱包物に対して無駄に大きくする必要がない。
【図面の簡単な説明】
【図１】本発明に従って構成された梱包ケースの好適実施形態を第一の切込み間を没入状態にせしめて示す斜視図。
【図２】図１に図示する梱包ケースの一部を拡大して示す拡大断面図。
【図３】図１に図示する梱包体ケースを第一の切込み間を復帰状態にせしめて示す斜視図。
【図４】図１に図示する梱包ケースを第一の切込み間を復帰状態にせしめて、その一部を拡大して示す拡大断面図。
【図５】図１に図示する梱包ケースを展開して示す展開図。
【図６】図１に図示する梱包ケースを幅Ｗの隙間に固定せしめた状態を示す斜視図。
【符号の説明】
２：梱包ケース
４：第一の切込み
６：開口部
８：突出部
１０：第二の切込み
１１：連結切込み
１２：スリット
【図１】
2004345678.tif 000003
【図２】
2004345678.tif 000004
【図３】
2004345678.tif 000005
【図４】
2004345678.tif 000006
【図５】
2004345678.tif 000007
【図６】
2004345678.tif 000008